(57)【要約】【課題】室内を効率よく照明することができる光拡散器および太陽光採光システムを提供する。【解決手段】光拡散器１０は、外周面１２１と内周面１２２とを有する透光性を有する材質からなる筒体１２を備え、内周面１２２は、筒体１２を透過した光が筒体１２の周方向および長さ方向に拡散するように周方向および長さ方向にわたり凹凸部１２３を有する。太陽光採光システム１００は、太陽光を採り入れる採光部１と、採光部１から採り入れた光を室内に放射する放光部２と、採光部１と放光部２との間に光が伝搬する通路ＰＡを形成する光ダクト３と、放光部２に面して通路ＰＡの外側に配置された光拡散器１０とを備える。【選択図】図１
2015032381.tif 000002
【特許請求の範囲】
【請求項１】
太陽光採光システムの放光部に面して室内側に配置される光拡散器であって、
外周面と内周面とを有する透光性を有する材質からなる筒体を備え、
前記内周面は、前記筒体を透過した光が前記筒体の周方向および長さ方向に拡散するように周方向および長さ方向にわたり凹凸部を有する光拡散器。
【請求項２】
請求項１に記載の光拡散器において、
前記筒体は、円筒形状を呈する光拡散器。
【請求項３】
請求項１または２に記載の光拡散器において、
前記凹凸部は、周方向に均一に配設された断面略三角形状のプリズムである光拡散器。
【請求項４】
請求項１〜３のいずれか１項に記載の光拡散器において、
複数の前記筒体を備え、
前記複数の筒体を互いに連結する連結部をさらに備える光拡散器。
【請求項５】
請求項４に記載の光拡散器において、
前記複数の筒体は、長さ方向に互いに同軸状に連結されている光拡散器。
【請求項６】
請求項４または５に記載の光拡散器において、
前記複数の筒体は、所定距離隔てて互いに平行に連結されている光拡散器。
【請求項７】
請求項６に記載の光拡散器において、
前記複数の筒体は、第１の筒体と、第２の筒体と、第３の筒体とを有し、
前記連結部は、前記第１の筒体と前記第２の筒体とを連結する第１の連結部と、前記第１の筒体と前記第３の筒体とを連結し、かつ、前記第１の連結部と長さが等しい第２の連結部とを有し、
前記第１の連結部と前記第２の連結部とのなす角度は、０°よりも大きく１８０°よりも小さい光拡散器。
【請求項８】
太陽光採光システムであって、
太陽光を採り入れる採光部と、
前記採光部から採り入れた光を室内に放射する放光部と、
前記採光部と前記放光部との間に光が伝搬する通路を形成する光ダクトと、
前記放光部に面して前記通路の外側に配置された請求項１〜７のいずれか１項に記載の光拡散器と、を備える太陽光採光システム。
【請求項９】
請求項８に記載の太陽光採光システムにおいて、
前記光ダクトから前記光拡散器を支持する支持部をさらに備える太陽光採光システム。
【請求項１０】
請求項８または９に記載の太陽光採光システムにおいて、
前記光ダクト内に配置され、人工光を発生する照明部をさらに備える太陽光採光システム。
【発明の詳細な説明】
【技術分野】
【０００１】
本発明は、太陽光採光システムに用いられる光拡散器および太陽光採光システムに関する。
【背景技術】
【０００２】
採光部を介して採り込まれた太陽光を、光ダクトを介して建物の内部に導き、放光部を介して放射することで、室内を照明するようにした装置が知られている（例えば特許文献１，２参照）。特許文献１記載の装置は、光ダクト内における光の密度の均一化を図るため、光ダクト内に、光ダクトの長手方向に平行な反射面を有する反射材を設けるようにしている。特許文献２記載の装置は、室内の明るさの均一化を図るため、光ダクトの一の面に放光用の複数の光取り出し口を設け、これら光取り出し口の開口面積をダクトの長手方向に沿って徐々に大きくするようにしている。
【先行技術文献】
【特許文献】
【０００３】
【特許文献１】特許第４１４８５７４号公報
【特許文献２】特開２０００−１４９６２８号公報
【発明の概要】
【発明が解決しようとする課題】
【０００４】
上記特許文献１，２記載の装置は、放光部から光を均一に放射するための構成を開示する。しかしながら、上記特許文献１，２記載の装置では、放光部の周囲の天井面を照明することができず、室内を効率よく照明するには不十分である。
【０００５】
本発明の目的は、室内を効率よく照明することができる光拡散器および太陽光採光システムを提供することである。
【課題を解決するための手段】
【０００６】
本発明の一態様は、太陽光採光システムの放光部に面して室内側に配置される光拡散器であって、外周面と内周面とを有する透光性を有する材質からなる筒体を備え、内周面は、筒部を透過した光が筒部の周方向および長さ方向に拡散するように周方向および長さ方向にわたり凹凸部を有する光拡散器である。
【０００７】
本発明の他の態様は、太陽光採光システムであって、太陽光を採り入れる採光部と、採光部から採り入れた光を室内に放射する放光部と、採光部と光出口部との間に光が伝搬する通路を形成する光ダクトと、放光部に面して通路の外側に配置された上記光拡散器と、を備える太陽光採光システムである。
【発明の効果】
【０００８】
本発明によれば、放光部に面して室内側に配置される光拡散器は、外周面と内周面とを有する筒体を備え、内周面は、筒部を透過した光が筒部の周方向および長さ方向に拡散するように周方向および長さ方向にわたり凹凸部を有する。これにより放光部から放射された光を放光部の周囲の天井面に導くことができ、室内を効率よく照明することができる。
【図面の簡単な説明】
【０００９】
【図１】本発明の実施形態に係る太陽光採光システムの全体構成を示す斜視図。
【図２】図１のII部拡大図。
【図３】本発明の実施形態に係る光拡散器の正面図。
【図４】本発明の実施形態に係る光拡散器の側面図。
【図５】本発明の実施形態に係る光拡散器を構成する筒体の断面図。
【図６】複数の筒体を連結する連結部の構成を示す断面図。
【図７】（ａ），（ｂ）はそれぞれ本発明の実施形態に係る光拡散器に入射した光の進行経路の一例を模式的に示す図。
【図８】（ｃ）は本発明の実施形態に係る光拡散器の配置を模式的に示す図であり、（ｄ）は本実施形態の変形例を示す図、（ａ），（ｂ）はそれぞれ本実施形態の比較例を示す図。
【図９】（ａ），（ｂ）はそれぞれ実験装置の構成を模式的に示す図。
【図１０】図９（ａ），（ｂ）の実験装置を用いて図８（ａ）〜（ｄ）のそれぞれの場合について照度測定の実験を行った場合の実験結果を示す図。
【発明を実施するための形態】
【００１０】
以下、図１〜図１０を参照して本発明の実施形態について説明する。図１は、本発明の実施形態に係る太陽光採光システム１００の全体構成を示す斜視図である。太陽光採光システム１００は、屋外の自然光（太陽光）を室内に導いて室内を照明するものであり、ビルや一般家屋等の建物に設置される。この太陽光採光システム１００は、太陽光を採り入れる採光部１と、採光部１から採り入れた光を室内に放射する放光部２と、採光部１と放光部２との間に光が伝搬する通路ＰＡを形成する光ダクト３と、放光部１に面して通路ＰＡの外側に配置された光拡散器１０とを有する。なお、以下では、便宜上、図示のように前後方向、左右方向および上下方向を定義し、この定義に従い各部の構成を説明する。
【００１１】
光ダクト３は、断面矩形状を呈する複数のダクト３ａの端部を繋ぎ合わせて形成される。光ダクト３は、上下方向に延在する鉛直部４と、鉛直部４の下端部から前後方向に延在する水平部５とを有し、全体が略Ｌ字形状を呈する。鉛直部４の上端部には、所定方向（例えば南の方向）に向けて斜めに開口部４ａが設けられ、この開口部４ａに採光部１が形成されている。水平部５の底面には、複数（図では３個）のダクト３ａにまたがり略矩形状の開口部５ａが設けられ、この開口部５ａに放光部２が形成されている。採光部１と放光部２は、透光性を有する材質、例えば透明な材質のカバー１ａ，２ａを有する。カバー１ａ，２ａは、開口部４ａ，５ａを塞ぎ、光ダクト内の通路ＰＡは密閉されている。
【００１２】
光ダクト３の内壁面には、採光部１と放光部２とを除き、反射材が貼付されている。反射材は、多数の薄膜を積層してなり、金属成分を使用することなく可視光線領域（太陽光による明るさ）を選択的に反射するように構成されている。この反射材は、金属や鏡よりも高い反射率（例えば９９％の反射率）を有する。このため、採光部１からの光は、光ダクト３内で反射を繰り返し、かつ、減衰を抑えながら進行し、放光部２に到る。
【００１３】
図２は、光拡散器１０の構成を拡大して示す図１のII部拡大図であり、図３および図４は、それぞれ光拡散器１０の正面図（前方から見た図）および側面図（左方から見た図）である。なお、図３には、室内と室外とを区画する天井面６が示されており、天井面６よりも下方に光拡散器１０が配置されている。図２に示すように、光ダクト３の放光部２の周囲には、フランジ部３ｂが設けられている。
【００１４】
図２〜４に示すように、光拡散器１０は、前後方向に延在する互いに同一形状の３組の筒体ユニット１１（上筒体ユニット１１Ａ、左筒体ユニット１１Ｂ、右筒体ユニット１１Ｃ）を有する。各筒体ユニット１１Ａ〜１１Ｃの前後方向長さは、透光部２の前後方向長さとほぼ等しい。図３において、放光部２の左右方向の中心線をＣＬとすると、上筒体ユニット１１Ａは、透光部２の下方かつ左右方向中央部（中心線ＣＬ上）に配置されている。一方、左筒体ユニット１１Ｂおよび右筒体ユニット１１Ｃは、上筒体ユニット１１Ａの下方かつ左右両側に、中心線ＣＬを中心に左右対称に配置されている。
【００１５】
図３に示すように、上筒体ユニット１１Ａの下側周面には、互いに同一形状である一対の棒状のステイ２０（第１ステイ２０Ａ，第２ステイ２０Ｂ）の一端部が中心線ＣＬを挟んで互いに左右対称位置に固定されている。一対のステイ２０Ａ，２０Ｂの他端部は、それぞれ左筒体ユニット１１Ｂの上側かつ右側周面および右筒体ユニット１１Ｃの上側かつ左側周面に固定されている。これにより、上筒体ユニット１１Ａと左筒体ユニット１１Ｂおよび上筒体ユニット１１Ａと右筒体ユニット１１Ｃは、それぞれ第１ステイ２０Ａおよび第２ステイ２０Ｂを介して一体に連結され、筒体ユニット１１Ａと１１Ｂおよび１１Ａと１１Ｃは、ステイ２０Ａ，２０Ｂの長さ分の所定距離隔てて互いに平行に配置される。
【００１６】
第１ステイ２０Ａと第２ステイ２０Ｂのなす角度θ１は、左筒体ユニット１１Ｂと右筒体ユニット１１Ｃとがそれぞれ放光部２の左右両端部と中心線ＣＬとの間、好ましくは放光部２の左右両端部と中心線ＣＬの左右方向ほぼ中央に位置するように設定されている。図示の例では、角度θ１は７５°である。
【００１７】
第２ユニット１１Ｂの上側かつ左側周面および第３ユニット１１Ｃの上側かつ右側周面には、それぞれワイヤ２１が取り付けられ、ワイヤ２１の端部にフック２２が設けられている。光ダクト３のフランジ部３ｂの左右両端部には、フック２２の取り付け用の金具２３が設けられ、光拡散器１０はワイヤ２１を介して放光部２の下方に吊持されている。
【００１８】
図２，４に示すように、各筒体ユニット１１Ａ〜１１Ｃは、前後方向に直列に配置された複数（図では３本）の筒体１２（前筒体１２Ａ、中筒体１２Ｂ、後筒体１２Ｃ）と、これら筒体１２Ａ〜１２Ｃを長さ方向に互いに同軸状に連結する連結環１３と、筒体ユニット１１Ａ〜１１Ｃの前後両端部に取り付けられたキャップ１４とを有する。
【００１９】
図５は、筒体１２の断面図である。図５に示すように、筒体１２は、外周面１２１と内周面１２２とを有し、全体が円筒形状を呈する。この筒体１２は、ポリカーボネート等の透明な樹脂材から構成されたシートを円筒状に折り曲げ、その両端部を両面テープとリベット等により互いに接合することによって構成され、筒体１２の内部には、周方向に閉じた領域である空間部１２０が形成されている。筒体１２の内周面１２２には、断面略三角形状の凸部１２３が周方向均一に形成されている。凸部１２３は、筒体１２の長手方向一端部から他端部にかけて延在する一対の斜面１２３ａを有する。周方向に隣り合う凸部１２３の斜面１２３ａのなす角度θ２は、３０°以上かつ９０°以下の所定角度（例えば４５°）に設定されている。凸部１２３は、筒体１２を透過した光を拡散するプリズムとして機能する。
【００２０】
図６は、前筒体１２Ａと中筒体１２Ｂの連結部の構成を示す断面図である。なお、中筒体１２Ｂと後筒体１２Ｃの連結部の構成も図６と同一である。連結環１３は、アルミニウム等の薄板の金属からなり、その全体は、両端面が開口された円筒形状を呈する。図６に示すように、連結環１３は、各筒体１２Ａ，１２Ｂの端部の外周面にそれぞれ嵌合され、リベット１５で筒体１２Ａ，１２Ｂに固定されている。
【００２１】
ステイ２０の端部にはねじ部２０ａが設けられ、ねじ部２０ａは連結環１３を貫通している。このねじ部２０ａにはワッシャーを介してナット２０ｂが螺合され、これにより連結環１３にステイ２０が固定されている。連結環１３の外周側には、隣り合う連結環１３をまたぐように連結プレート１６が配置されている。連結プレート１６は、ボルト１６ａおよびナット１６ｂを介して各連結環１３に固定され、連結プレート１６により筒体１２Ａ，１２Ｂが連結されている。
【００２２】
なお、図示は省略するが、前筒体１２Ａの前端部および後筒体１２Ｃの後端部のキャップ１４は、一端面が閉塞されている点を除いて連結環１３と同一形状をなす。したがって、キャップ１４も連結環１３と同様、筒体１２Ａ，１２Ｃの外周面にリベット１５により固定され、さらにキャップ１４にはボルト２０ｂを介してステイ２０が固定されている。これにより筒体１２Ａ〜１２Ｃの空間部１２０が互いに連通し、かつ、前後両端部が閉塞された筒体ユニット１１が構成される。
【００２３】
図３に示すように、連結環１３およびキャップ１４にはワイヤ２１の端部が固定され、ワイヤ２１の吊持力は、連結環１３およびキャップ１４に作用する。このため、ワイヤ２１の吊持力が筒体１２に直接作用することを防止できる。
【００２４】
本実施形態に係る太陽光採光システム１００は、人工光を発生する照明部をさらに備える。図３に示すように、照明部４０は、光ダクト３の開口部５ａの上方の左右内側面に装着された取付金具４１に取り付けられている。照明部４０は、例えば前後方向に延在する蛍光灯である。照明部４０は、開口部５ａの前後方向長さの全域にわたって複数設けることもできる。このように光ダクト３内に照明部４０を設けることで、例えば曇り時や夜間等、採光部１から採り込まれる太陽光の光量が少ない、または太陽光が存在しない状態でも、光拡散器１０を介して室内を均一に照明することができる。
【００２５】
次に、本発明の実施形態に係る太陽光採光システム１００の主要な動作を説明する。図１に示す採光部１から採光された太陽光は、光ダクト３の内壁面で反射を繰り返しながら、光ダクト３内の通路ＰＡに沿って下方および前方へと伝搬し、放光部２から室内の光拡散器１０に向けて出射する。図７（ａ），（ｂ）は、光拡散器１０に入射した光の進行経路の一例を模式的に示す筒体１２の断面図である。なお、図７（ａ）は主に上下方向および前後方向における光の経路を、図７（ｂ）は主に上下方向および左右方向における光の経路を示す。
【００２６】
図７（ａ）に示すように、筒体１２に上方かつ後方から斜めに入射した光ＳＬａのうち、一部は筒体１２の外周面１２１で反射し（矢印ａ１）、一部は筒体１２を透過して筒体内の空間部１２０に入射する。空間部１２０に入射した光のうち、一部は筒体１２を透過して下方に向けて出射し（矢印ａ２）、一部は筒体１２の内周面１２２で反射する。内周面１２２で反射した光のうち、一部は筒体１２を透過して上方に向けて出射し（矢印ａ３）、一部は筒体１２の内周面１２２で反射する。このような動作を繰り返し、光は空間部１２０を前後方向に伝搬しつつ、筒体１２の外部へも出射する。
【００２７】
また、図７（ｂ）に示すように、筒体１２の外周面１２１に入射した光ＳＬｂのうち、一部は外周面１２１で反射し（矢印ｂ１）、一部は内周面１２２（凸部１２３）で屈折および反射して筒体１２の外側に出射する（矢印ｂ２）。さらに、外周面１２１に入射した光の一部は空間部１２０に入射し、その一部は、内周面１２２および外周面１２１で屈折して筒体１２の外側に出射し（矢印ｂ３，ｂ４）、一部は内周面１２２で屈折および反射を繰り返し、筒体１２の外側に出射する（矢印ｂ５）。すなわち、筒体１２の内周面１２２に凸部１２３を設けたことにより、光は筒体１２で屈折および反射し、周方向全域に拡散する。
【００２８】
光拡散器１０による光の拡散の程度を実験により測定した。この実験は、本実施形態に係る光拡散器１０を用いた場合だけでなく、その比較例および変形例として、他の太陽光採光システムに採用される種々の例についても行った。すなわち、図８（ａ）に示すように放光部２に面して何も配置しない場合（以下、タイプＡと呼ぶ）、図８（ｂ）に示すように放光部２に面して金属製の反射部材２００を配置した場合（以下、タイプＢと呼ぶ）、図８（ｃ）に示すように放光部２に面して上述した光拡散器１０を配置した場合（以下、タイプＣと呼ぶ）、および図８（ｄ）に示すように放光部２に面して光拡散器１０のうち１本の筒体ユニット１１のみを配置した場合（以下、タイプＤと呼ぶ）を想定し、それぞれについて実験を行った。
【００２９】
図９（ａ），（ｂ）は、実験装置の構成を模式的に示す図である。図９（ａ）に示すように、放光部２に面して光拡散器１０を配置するとともに、放光部２の裏側には擬似的な太陽光を発生するＬＥＤ３１を配置する。この状態で、ＬＥＤ３１から放光部２に光を照射し、そのときの照度を照度計３２により測定する。なお、図９は、タイプＣについての実験を示している。タイプＡについての実験では放光部２に面して何も置かず、タイプＢについての実験では反射部材２００を配置し、タイプＤについての実験では１本の筒体ユニット１１を配置する。
【００３０】
図９（ａ），（ｂ）において、照度計３２による測定位置を位置（１）〜位置（１０）で示す。このうち、位置（１）〜位置（９）は、放光部２と同一平面上にあり、これらは天井面６における照度に相当する。一方、位置（１０）は、放光部２から所定距離Ｌ０（例えば２３００ｍｍ）だけ離れた位置にあり、これは机面または床面の照度に相当する。
【００３１】
位置（１）〜位置（９）のうち、位置（１）は、放光部２から所定距離Ｌ１（例えば６００ｍｍ）だけ前方における照度の測定位置、位置（２）は、放光部２から所定距離Ｌ２（例えば４００ｍｍ）だけ前方における照度の測定位置、位置（３）は放光部２から所定距離Ｌ３（例えば２００ｍｍ）だけ前方における照度の測定位置、（４），（５），（６）はそれぞれ放光部２から所定距離Ｌ１，Ｌ２，Ｌ３だけ左方における照度の測定位置、（７），（８），（９）はそれぞれ放光部２から所定距離Ｌ１，Ｌ２，Ｌ３だけ右方における照度の測定位置である。
【００３２】
図１０は、実験結果を示す図である。図中の数値の単位はルクス（ｌｘ）である。図１０に示すように、タイプＡについては、位置（１０）の照度が最も高く、次いで、位置（６），位置（７）の照度が高い。位置（１），位置（４），位置（９）の照度は最も低い。図１０には、このタイプＡを基準にしたタイプＢ，タイプＣ，タイプＤの照度の割合（タイプＢ／タイプＡ，タイプＣ／タイプＡ，タイプＤ／タイプＡ）も示している。タイプＢでは、放光部２の近傍部（位置（３），位置（６），位置（７））で照度が高くなっているが、放光部２から離れるにつれて照度が急激に減少し、各位置での照度のばらつきが大きい。
【００３３】
一方、タイプＣでは、位置（１），位置（１０）でタイプＡよりも照度が低くなっているが、位置（２）〜位置（９）ではタイプＡよりも照度が高くなっており、さらに、各位置での照度のばらつきも小さい。この結果より、本実施形態に係る光拡散器１０を用いた場合、放光部２からの光が放光部２の周囲の広い範囲に比較的均一に拡散されることがわかる。また、タイプＤでは、タイプＣに比べ全体的に照度が低くなっているが、タイプＡよりも照度が高くなっている箇所が多く、かつ、各位置での照度もばらつきも小さい。よって、筒体ユニット１１を１本とした場合でも効果があることがわかる。
【００３４】
本実施形態によれば以下のような作用効果を奏することができる。
（１）外周面１２１と内周面１２２とを有する透明な円筒形状の筒体１２の内周面１２２に凸部１２３を形成し、この筒体１２によって構成された光拡散器１０を、放光部２に面して室内側に配置する。これにより放光部２から放射された光が光拡散器１０によって拡散され、室内を効率よく照明することができる。
【００３５】
（２）筒体１２を円筒形状としたので、筒体１２に入射した光を周方向均一に拡散することができる。
【００３６】
（３）筒体１２の内周面１２２の凸部１２３を、周方向に均一に配設された断面略三角形状のプリズムとして構成するので、光を多方向に拡散することができる。
【００３７】
（４）複数の筒体１２Ａ〜１２Ｃを、連結環１３を介して長さ方向に互いに同軸状に連結して筒体ユニット１１を形成するので、長尺の筒体ユニット１１を容易に形成することができる。
【００３８】
（５）筒体ユニット１１Ａ〜１１Ｃをステイ２０で連結することで、複数の筒体ユニット１１Ａ〜１１Ｃを所定距離隔てて互いに平行に配置する。これにより、一の筒体ユニット１１（例えば上筒体ユニット１１Ａ）で拡散された光が他の筒体ユニット（例えば左筒体ユニット１１Ｂ、第３ユニット１１Ｃ）で拡散され、光の拡散効果を高めることができる。
【００３９】
（６）上筒体ユニット１１Ａの左右側方にそれぞれ左筒体ユニット１１Ｂと右筒体ユニット１１Ｃとを配置し、上筒体ユニット１１Ａと左筒体ユニット１１Ｂおよび上筒体ユニット１１Ａと右筒体ユニット１１Ｃをそれぞれ第１ステイ２０Ａおよび第２ステイ２０Ｂで連結し、さらに第１ステイ２０Ａと第２ステイ２０Ｂとのなす角度θ１（図３）を所定角度（例えば７５°）に設定する。これにより左筒体ユニット１１Ｂと右筒体ユニット１１Ｃとは、それぞれ上筒体ユニット１１Ａの下方に配置される。このため、左筒体ユニット１１Ｂおよび右筒体ユニット１１Ｃからの光は、放光部２の外側の天井面６に当たりやすくなり、放光部２に戻る光の量を低減することができる。また、左筒体ユニット１１Ｂおよび右筒体ユニット１１Ｃは、上筒体ユニット１１Ａを中心に左右対称に配置されるため、室内を左右方向均等に照明することができる。
【００４０】
（７）筒体１２を透明な樹脂材によって構成するので、光拡散器１０の重量を低減することができ、光拡散器１０を天井面６から容易に吊持することができる。また、筒体１２はシートを円筒状に折り曲げて形成するので、種々の大きさの筒体１２を容易に形成することができる。
【００４１】
（８）本実施形態に係る太陽光採光システム１００は、太陽光を採り入れる採光部１と、採光部１から採り入れた光を室内に放射する放光部２と、採光部１と放光部２との間に光が伝搬する通路ＰＡを形成する光ダクト３と、放光部２に面して通路ＰＡの外側に配置された光拡散器１０とを備える。したがって、太陽光によって室内を均一に照明することができる。
【００４２】
（９）ワイヤ２１を介して光ダクト１３から光拡散器１０を吊持するので、光拡散器１０の取り付けが容易である。
【００４３】
（１０）光ダクト３内に人工光を発生する照明部４０を配置するので、太陽光の十分な光量が得られない場合であっても、光拡散器１０を介して室内を均一に照明することができる。
【００４４】
（変形例）
上記実施形態では、透明な材質からなる円筒形状の筒体１２により光拡散器１０を構成したが、外周面と内周面とを有する透光性を有する材質から構成されるのであれば、筒体の構成は上述したものに限らない。したがって、筒体の断面は、円ではなく、楕円や略矩形状等であってもよい。上記実施形態では、筒体１２の内周面に、周方向均一に断面略三角形状の凸部１２３（プリズム）を配設したが、筒体１２を透過した光が筒体１２の周方向（上下左右方向）および長さ方向（前後方向）に拡散するように周方向および長さ方向にわたって設けられるのであれば、凹凸部の構成はいかなるものでもよい。
【００４５】
上記実施形態では、連結環１３を介して複数の筒体１２Ａ〜１２Ｃを長さ方向に互いに同軸状に連結するとともに、ステイ２０を介して複数の筒体１２（各筒体ユニット１１Ａ〜１１Ｃの筒体１２）を所定距離隔てて互いに平行に連結するようにしたが、複数の筒体１２を互いに連結する連結部の構成は上述したものに限らない。上記実施形態では、上筒体ユニット１１Ａ（第１の筒体）と左筒体ユニット１１Ｂ（第２の筒体）とを第１ステイ２０Ａ（第１の連結部）で連結するとともに、上筒体ユニット１１Ａと右筒体ユニット１１Ｃ（第３の筒体）とを第１ステイ２０Ａと長さの等しい第２ステイ２０Ｂ（第２の連結部）で連結し、第１ステイ２０Ａと第２ステイ２０Ｂとのなす角度θ１を７５°に設定したが、θ１は０°よりも大きく１８０°より小さければ７５°以外であってもよい。
【００４６】
上記実施形態では、３本の筒体ユニット１１Ａ〜１１Ｃにより光拡散器１０を構成したが、筒体ユニットは１本でも２本でもよく、４本以上でもよい。また、上記実施形態では、３本の筒体１２Ａ〜１２Ｃにより筒体ユニット１１を構成したが、筒体は１本でも２本でもよく、４本以上でもよい。太陽光を採り入れる採光部１の構成、採光部１から採り入れた光を室内に放射する放光部２の構成、および採光部１と放光部２の間に光が伝搬する通路ＰＡを形成する光ダクト３の構成も上述したものに限らず、太陽光採光システムが設置される建物の構造に合わせて変形することができる。上記実施形態では、ワイヤ２１と金具２３を介して光拡散器１０を光ダクト３のフランジ部３ｂから支持するようにしたが、支持部の構成はこれに限らない。フランジ部３ｂの外側の天井面６から光拡散器１を支持するようにしてもよい。上記実施形態では、光ダクト３内に人工光を発生する照明部４０を設けたが、照明部４０を省略することもできる。
【００４７】
以上の説明はあくまで一例であり、本発明の特徴を損なわない限り、上述した実施形態および変形例により本発明が限定されるものではない。上記実施形態および変形例の構成要素には、発明の同一性を維持しつつ置換可能かつ置換自明なものが含まれる。すなわち、本発明の技術的思想の範囲内で考えられる他の形態についても、本発明の範囲内に含まれる。また、上記実施形態と変形例の１つまたは複数を任意に組み合わせることも可能である。
【符号の説明】
【００４８】
１    採光部
２    放光部
３    光ダクト
１０    光拡散器
１１    筒体ユニット
１１Ａ    上筒体ユニット
１１Ｂ    左筒体ユニット
１１Ｃ    右筒体ユニット
１２    筒体
１３    連結環
２０    ステイ
２０Ａ    第１ステイ
２０Ｂ    第２ステイ
２１    ワイヤ
４０    照明部
１００    太陽光採光システム
１２１    外周面
１２２    内周面
１２３    凸部
【図１】
2015032381.tif 000003
【図２】
2015032381.tif 000004
【図３】
2015032381.tif 000005
【図４】
2015032381.tif 000006
【図５】
2015032381.tif 000007
【図６】
2015032381.tif 000008
【図７】
2015032381.tif 000009
【図８】
2015032381.tif 000010
【図９】
2015032381.tif 000011
【図１０】
2015032381.tif 000012